【事件の表示】
　特願２００６−１０５７５０「血液分析装置、試料分析装置及びフローサイトメータ」拒絶査定不服審判事件〔平成１８年１１月１６日出願公開、特開２００６−３１３１５１〕について、次のとおり審決する。
【結　論】
　本件審判の請求は、成り立たない。
【理　由】
 第１　手続の経緯
　本願は、平成１８年（２００６年）４月６日（優先権主張　平成１７年４月７日　日本国）に出願された特願２００６−１０５７５０号であって、平成２５年１月２９日付けで拒絶査定がなされ、これに対し同年５月２日に拒絶査定不服審判の請求がなされ、同時に手続補正がなされた。
　その後、当審において平成２６年６月１０日付けで拒絶理由を通知し、同年７月２８日付けで意見書が提出され、同日付けで手続補正がなされた。
　
第２　本願発明  
　本願の請求項１に係る発明（以下「本願発明」という。）は、平成２６年７月２８日付け手続補正により補正された特許請求の範囲の請求項１に記載された事項により特定される次のとおりのものである。
　
「白血球分類測定、赤血球数測定、及びヘモグロビン測定が可能な血液分析装置であって、
　第１チャンバ、及び第２チャンバを備えており、前記第１チャンバを用いて、血液試料、溶血剤、及び白血球を染色する染色試薬を少なくとも含む白血球測定試料を調製し、前記第２チャンバを用いて、血液試料、及び希釈液を少なくとも含む赤血球測定試料を調製し、前記第２チャンバを用いて、血液試料、希釈液、及び溶血剤を少なくとも含むヘモグロビン測定試料を調製する調製部と、
　前記第１チャンバを用いて調製された前記白血球測定試料から、散乱光信号及び蛍光信号を少なくとも検出するため、前記白血球測定試料の液流を形成するフローセル、前記白血球測定試料に光を照射する光源、前記白血球測定試料から生じる散乱光を受光し受光強度に応じた散乱光信号を出力する散乱光受光部、前記白血球測定試料から生じる蛍光を受光し受光強度に応じた蛍光信号を出力する蛍光受光部としてのアバランシェフォトダイオード、及び前記フローセルと前記アバランシェフォトダイオードとを結ぶ光路の途中に設けられ、前記白血球測定用試料から生じる蛍光を前記アバランシェフォトダイオードに集光する非球面レンズ、を有する白血球検出部と、
　前記第２チャンバを用いて調製された前記赤血球測定試料から、赤血球を計数するための電気信号を取得する電気抵抗式の赤血球検出部と、
　前記第２チャンバを用いて調製された前記ヘモグロビン測定試料を用いてヘモグロビン値を測定するためのヘモグロビン検出部と、
　検出された前記散乱光信号及び蛍光信号に基づいて、前記白血球測定試料に含まれる白血球を複数の種類に分類する分析部と、を備える、血液分析装置。」
　
第３　引用例
１　引用例１
　当審が通知した拒絶の理由に引用され、本願の優先日前に頒布された刊行物である特開２００３−１０６９８４号公報（以下「引用例１」という）には、次の事項が記載されている。（下線には、当審で付したものも含まれる。）
　
「【０００１】
【発明の属する技術分野】この発明は粒子分析装置に関し、とくに、粒子の特徴パラメータを用いて２次元頻度分布図（スキャッタグラム）を作成しその分布図に現れる粒子の集団を分画して粒子の種類や数を特定する分析装置に関する。」
　
「【００１４】
血液分析装置の構成
図１はこの発明の方法を用いた
血液分析装置の光学系を示す斜視図である。同図においてレーザダイオード２１から出射されたビームはコリメートレンズ２２を介してシースフローセル１のオリフィス部１３を照射する。オリフィス部を通過する血球から発せられる前方散乱光は、集光レンズ２４とピンホール板２５とを介してフォトダイオード２６に入射する。
【００１５】
一方、オリフィス部１３を通過する血球から発せられる側方散乱光と側方蛍光については、側方散乱光は集光レンズ２７とダイクロイックミラー２８とを介してフォトマルチプライアチューブ（以下、フォトマルという）２９に入射し、側方蛍光は集光レンズ２７とダイクロイックミラー２８とフィルタ３６とピンホール板３０を介してフォトマル３１に入射する。
【００１６】
フォトダイオード２６から出力される前方散乱光信号と、フォトマル２９から出力される側方散乱光信号と、フォトマル３１から出力される側方蛍光信号とは、それぞれアンプ３２，３３，３４により増幅され、解析部３５に入力される。
【００１７】図２は図１に示す血液分析装置の流体系を示す系統図である。同図において、先ず洗浄工程においては、バルブ４１，５０が開かれ、シース液を収容したシース液チャンバー４２からシース液が圧力装置４３から印加される圧力Ｐによって送出され、バルブ４１と定量シリンジ４４とノズル６とを介して廃液チャンバー４５へ排出されると共に、バルブ５０とシースフローセル１とを介して廃液チャンバー４５に排出され、所定時間後にバルブ４１，５０が閉じられる。これによって、定量シリンジ４４，ノズル６，シースフローセル１およびその経路がシース液により洗浄される。
【００１８】次に、測定工程においては、バルブ４６，４７が開かれ、血液含有試料液を試薬で反応させて収容する反応チャンバー４８から試料液が吸引装置４９の負圧により吸引され、バルブ４６とノズル６間の経路が試料液で満たされると、バルブ４６，４７が閉じられる。次に、バルブ５０が開かれると、シース液がシース液チャンバー４２から圧力装置４３の圧力によりシースフローセル１へ送出され、廃液チャンバー４５に排出される。
【００１９】次に、バルブ４１が開かれると、圧力装置４３からの圧力Ｐは定量シリンジ４４を介してノズル６の先端へも伝達され、ノズル６の先端においてノズル外部のシース液の圧力とノズル内部の試料液の圧力とが平衡する。従って、この状態で定量シリンジ４４のピストン４４ｂがモータ４４ａにより駆動されると、バルブ４６とノズル６間に存在する試料液はノズル６からオリフィス部１３へ容易に吐出され、シース液によって細く絞られてオリフィス部１３を通過し、シース液と共に廃液チャンバー４５へ排出される。そして、定量シリンジ４４のピストン４４ｂの駆動が終了すると、測定工程を終了する。
【００２０】次に、モータ４４ａが逆転してピストン４４ｂが引き戻され、定量シリンジ４４は初期状態に復帰するが、この間にはバルブ４１，５０は開かれたままであるので、前述の洗浄工程が行われ、次の測定工程に備えられることになる。
【００２１】従って、他の反応チャンバー５１，５２，５３に収容された他の試料液についてもバルブ５４，５５，５６を開閉して前述と同様の工程を順次実行することにより測定を行うことができる。なお、バルブ５７は廃液チャンバー４５から廃液を排出するバルブであり、必要に応じて開閉される。
【００２２】図３は、図１の解析部３５の構成を示すブロック図である。図３において、６１は各種の数値や領域などの条件を予め設定するためのデータの入力部であり、例えば、キーボードやマウスにより構成される。
【００２３】また、６２は設定された各種条件を格納する設定条件格納部、６３はフォトダイオード２６とフォトマル２９，３１の出力信号から得られる光学情報を格納するデータ格納部である。６４はデータ格納部６３に格納された光学情報、つまり前方散乱光強度（Ｆｓｃ），側方散乱光強度（Ｓｓｃ），側方蛍光強度（Ｓｆｌ）の内いずれか２つのパラメータを用いて２次元頻度分布図を作成する分布図作成部、６５は分布図作成部６４で作成された分布図から座標や領域を抽出する抽出部である。
【００２４】６６は分布図作成部６４で作成される分布図において各粒子の分画領域を決定する分画領域決定部、６７は分画領域内の粒子数の計数や計数結果の比較を行う演算部、７０は比較結果に基づいて分布図における分画の異常を判定する判定部である。そして、演算部６７の演算結果および判定部７０の判定結果は分布図作成部６４で作成された分布図と共に表示部６８に表示される。６９は図２に示すバルブ４１，４６，４７，５０，５４，５５，５６，５７およびモータ４４ａを駆動する流体系駆動部である。また、解析部３５はパーソナルコンピュータで構成される。
【００２５】
２次元頻度分布図の作成
図８は、図２中に図示しなかった検体，定量部，試薬供給部を示すものであり、試料の調整に関し詳細に説明するための図である。図８に示すように、検体容器８０から血液（検体）が定量部８１〜８４によってそれぞれ
必要量だけ吸引定量され、反応チャンバー４８、５１、５２、５３へそれぞれ分配される。
【００２６】
有核赤血球測定モード
「有核赤血球測定モード」では、血液１８μｌがストマトライザーＮＲ溶血剤（シスメックス（株）製）８８２μｌとともに反応チャンバー４８に運ばれる。そしてストマトライザーＮＲ染色液（シスメックス（株）製）１８μｌが添加される。この状態で約７秒間反応させることで、赤血球が溶血させられ、白血球・有核赤血球が染色される。
【００２７】この処理がされた試料は定量シリンジ４４によって、ノズル６から吐出され、光学的に測定して得られた情報のうち、側方蛍光強度（Ｓｆｌ）と前方散乱光強度（Ｆｓｃ）とを２次元頻度分布図にした例が図４である。図４では、有核赤血球と白血球の集団がそれぞれ分画される。
【００２８】
白血球，好塩基球測定モード
「白血球、好塩基球測定モード」では、
【００２９】この
処理がされた試料は定量シリンジ４４によって、ノズル６から吐出され、光学的に測定して
【００３０】
白血球４分類測定モード
「白血球４分類測定モード」では、血液１８μｌがストマトライザー４ＤＬ（シスメックス（株）製）８８２μｌとともに反応チャンバー５２に運ばれる。そしてストマトライザー４ＤＳ（シスメックス（株）製）１８μｌが添加される。この状態で約２２秒間反応させることで、
赤血球が溶血させられ、白血球が染色される。
【００３１】
この処理がされた試料は定量シリンジ４４によって、ノズル６から吐出され、光学的に測定して
【００３２】
網赤血球測定モード
「網赤血球測定モード」では、
希釈液
染色液
が添加される。
【００３３】
この処理がされた試料は定量シリンジ４４によって、ノズル６から吐出され、光学的に測定して
ステップＳ１：患者から採取された血液を吸引する。
ステップＳ２：各測定モードでの測定に必要な量を、定量して分配する。
ステップＳ３ａ〜Ｓ３ｄ：
定量した各血液に、測定モードに応じて希釈液，染色液，溶血剤など所定の試薬を添加して反応処理を施し、各測定モード
「有核赤血球測定モード」，「白血球，好塩基球測定モード」，「白血球４分類測定モード」，「網赤血球測定モード」
ごとの試料を調製する。
ステップＳ４ａ〜Ｓ４ｄ：
測定モードごとに調製した各試料を、順次検出部に送液し、検出部により光学的情報を検出する。
ステップＳ５ａ〜Ｓ５ｄ：
検出した光学液情報に基づき、各測定モードごとに２次元頻度分布図を作成する。
ステップＳ６ａ〜Ｓ６ｄ：
作成した各分布図上で、出現した粒子を分画し、粒子の種類ごとに計数する。
ステップＳ７：複数の分布図における分画、計数の結果に基づき、分画異常の有無を判定する（このステップは以下に詳述する）。」
　
「【図１】
　　　　　　　　　　　　　　　　　　　　　　　　　　　　」
「【図２】
　　　　　　　　　　　　　　　　　　　　　　　　　　　　」
　
「【図９】
　　　　　　　　　　　　　　　　　　　　　　　　　　　　」
　
２　引用例１に記載された発明
　上記引用例１の記載（図面の記載も含む）から、引用例１には、
「「有核赤血球測定モード」，「白血球，好塩基球測定モード」，「白血球４分類測定モード」，「網赤血球測定モード」の各測定モードを備えた血液分析装置であって、
　必要量だけ吸引定量され、反応チャンバー４８、５１、５２、５３へそれぞれ分配された各血液に、測定モードに応じて希釈液，染色液，溶血剤など所定の試薬を添加して反応処理を施し、各測定モードごとの試料を調製し、
　測定モードごとに調製した各試料を、順次検出部に送液し、検出部により光学的情報を検出し、検出した光学液情報に基づき、各測定モードごとに２次元頻度分布図を作成し、作成した各分布図上で、出現した粒子を分画し、粒子の種類ごとに計数し、
　「白血球４分類測定モード」では、赤血球が溶血させられ、白血球が染色され、この処理がされた試料は定量シリンジ４４によって、光学系のシースフローセル１へ、ノズル６から吐出され、光学的に測定し、
　血液分析装置の光学系において、レーザダイオード２１から出射されたビームはコリメートレンズ２２を介してシースフローセル１のオリフィス部１３を照射し、オリフィス部を通過する血球から発せられる前方散乱光は、集光レンズ２４とピンホール板２５とを介してフォトダイオード２６に入射し、一方、オリフィス部１３を通過する血球から発せられる側方散乱光と側方蛍光については、側方散乱光は集光レンズ２７とダイクロイックミラー２８とを介してフォトマルチプライアチューブ（以下、フォトマルという）２９に入射し、側方蛍光は集光レンズ２７とダイクロイックミラー２８とフィルタ３６とピンホール板３０を介してフォトマル３１に入射し、フォトダイオード２６から出力される前方散乱光信号と、フォトマル２９から出力される側方散乱光信号と、フォトマル３１から出力される側方蛍光信号とは、それぞれアンプ３２，３３，３４により増幅され、解析部３５に入力され、
　「網赤血球測定モード」では、希釈液及び染色液が添加され、処理がされた試料は定量シリンジ４４によって、ノズル６から吐出され、光学的に測定する血液分析装置。」の発明（以下、「引用発明」という。）が記載されている。
　
第４　当審の判断
１　本願発明と引用発明の対比
（１）本願発明と引用発明を対比する。
　引用発明の「血液分析装置」は、「各測定モードごとに２次元頻度分布図を作成し、作成した各分布図上で、出現した粒子を分画し、粒子の種類ごとに計数」するもの、すなわち、「分類測定」及び「球数測定」を行うものであることを踏まえれば、引用発明の「「有核赤血球測定モード」，「白血球，好塩基球測定モード」，「白血球４分類測定モード」，「網赤血球測定モード」の各測定モードを備えた血液分析装置」と、本願発明の「白血球分類測定、赤血球数測定、及びヘモグロビン測定が可能な血液分析装置」とは、「白血球分類測定及び赤血球数測定が可能な血液分析装置」」である点で共通する。
　
　引用発明の「「有核赤血球測定モード」，「白血球，好塩基球測定モード」，「白血球４分類測定モード」，「網赤血球測定モード」の各測定モードを備えた血液分析装置」において「必要量だけ吸引定量され、反応チャンバー４８、５１、５２、５３へそれぞれ分配された各血液に、測定モードに応じて希釈液，染色液，溶血剤など所定の試薬を添加して反応処理を施し、各測定モードごとの試料を調製」し、「「白血球４分類測定モード」では、赤血球が溶血させられ、白血球が染色され」て「処理がされ」、「「網赤血球測定モード」では、希釈液及び染色液が添加され」て「処理がされ」ることと、
　本願発明の「第１チャンバ、及び第２チャンバを備えており、前記第１チャンバを用いて、血液試料、溶血剤、及び白血球を染色する染色試薬を少なくとも含む白血球測定試料を調製し、前記第２チャンバを用いて、血液試料、及び希釈液を少なくとも含む赤血球測定試料を調製し、前記第２チャンバを用いて、血液試料、希釈液、及び溶血剤を少なくとも含むヘモグロビン測定試料を調製する調製部」を備えることとは、
　「複数のチャンバを備えており、１つのチャンバを用いて、血液試料、溶血剤、及び白血球を染色する染色試薬を少なくとも含む白血球測定試料を調製し、別のチャンバを用いて、血液試料、及び希釈液を少なくとも含む赤血球測定試料を調製する調製部」を備える点で共通する。
　
　引用発明の「シースフローセル１」が本願発明の「フローセル」に相当し、引用発明の「レーザダイオード２１」が本願発明の「光源」に相当し、引用発明の「側方散乱光」が入射する「フォトマル２９」が本願発明の「散乱光受光部」に相当し、引用発明の「側方蛍光」が入射する「フォトマル３１」が本願発明の「蛍光受光部」に相当し、また、引用発明の「側方蛍光」が入射する「フォトマル３１」と本願発明の「アバランシェフォトダイオード」とは「フォトダイオード」である点で共通し、引用発明の「側方散乱光」の「集光レンズ２７」と本願発明の「集光する非球面レンズ」とは「集光するレンズ」である点で共通するから、
　引用発明の「白血球４分類測定モード」で用いられる「血液分析装置の光学系」であって、「レーザダイオード２１から出射されたビームはコリメートレンズ２２を介してシースフローセル１のオリフィス部１３を照射し、オリフィス部を通過する血球から発せられる前方散乱光は、集光レンズ２４とピンホール板２５とを介してフォトダイオード２６に入射し、一方、オリフィス部１３を通過する血球から発せられる側方散乱光と側方蛍光については、側方散乱光は集光レンズ２７とダイクロイックミラー２８とを介してフォトマルチプライアチューブ（以下、フォトマルという）２９に入射し、側方蛍光は集光レンズ２７とダイクロイックミラー２８とフィルタ３６とピンホール板３０を介してフォトマル３１に入射し、フォトダイオード２６から出力される前方散乱光信号と、フォトマル２９から出力される側方散乱光信号と、フォトマル３１から出力される側方蛍光信号とは、それぞれアンプ３２，３３，３４により増幅され、解析部３５に入力される」「血液分析装置の光学系」と、
　本願発明の「前記第１チャンバを用いて調製された前記白血球測定試料から、散乱光信号及び蛍光信号を少なくとも検出するため、前記白血球測定試料の液流を形成するフローセル、前記白血球測定試料に光を照射する光源、前記白血球測定試料から生じる散乱光を受光し受光強度に応じた散乱光信号を出力する散乱光受光部、前記白血球測定試料から生じる蛍光を受光し受光強度に応じた蛍光信号を出力する蛍光受光部としてのアバランシェフォトダイオード、及び前記フローセルと前記アバランシェフォトダイオードとを結ぶ光路の途中に設けられ、前記白血球測定用試料から生じる蛍光を前記アバランシェフォトダイオードに集光する非球面レンズ、を有する白血球検出部」とは、
　「前記チャンバを用いて調製された前記白血球測定試料から、散乱光信号及び蛍光信号を少なくとも検出するため、前記白血球測定試料の液流を形成するフローセル、前記白血球測定試料に光を照射する光源、前記白血球測定試料から生じる散乱光を受光し受光強度に応じた散乱光信号を出力する散乱光受光部、前記白血球測定試料から生じる蛍光を受光し受光強度に応じた蛍光信号を出力する蛍光受光部としてのフォトダイオード、及び前記フローセルと前記フォトダイオードとを結ぶ光路の途中に設けられ、前記白血球測定用試料から生じる蛍光を前記フォトダイオードに集光するレンズ、を有する白血球検出部」である点で共通する。
　
　引用発明の「「網赤血球測定モード」では、希釈液及び染色液が添加され、処理がされた試料は定量シリンジ４４によって、ノズル６から吐出され、光学的に測定」し、「検出した光学液情報に基づき、各測定モードごとに２次元頻度分布図を作成し、作成した各分布図上で、出現した粒子を分画し、粒子の種類ごとに計数」することと、本願発明の「前記第２チャンバを用いて調製された前記赤血球測定試料から、赤血球を計数するための電気信号を取得する電気抵抗式の赤血球検出部」を備えることとは、「前記チャンバを用いて調製された前記赤血球測定試料から、赤血球を計数する赤血球検出部」である点で共通する。
　
　引用発明の「「白血球４分類測定モード」では、赤血球が溶血させられ、白血球が染色され、この処理がされた試料は定量シリンジ４４によって、光学系のシースフローセル１へ、ノズル６から吐出され、光学的に測定し」、「検出した光学液情報に基づき、各測定モードごとに２次元頻度分布図を作成し、作成した各分布図上で、出現した粒子を分画し、粒子の種類ごとに計数」することが、本願発明の「検出された前記散乱光信号及び蛍光信号に基づいて、前記白血球測定試料に含まれる白血球を複数の種類に分類する分析部」を備えることに相当する。
　
（２）一致点
　よって、本願発明と引用発明は、
「白血球分類測定及び赤血球数測定が可能な血液分析装置であって、
　複数のチャンバを備えており、１つのチャンバを用いて、血液試料、溶血剤、及び白血球を染色する染色試薬を少なくとも含む白血球測定試料を調製し、別のチャンバを用いて、血液試料、及び希釈液を少なくとも含む赤血球測定試料を調製する調製部と、
　前記チャンバを用いて調製された前記白血球測定試料から、散乱光信号及び蛍光信号を少なくとも検出するため、前記白血球測定試料の液流を形成するフローセル、前記白血球測定試料に光を照射する光源、前記白血球測定試料から生じる散乱光を受光し受光強度に応じた散乱光信号を出力する散乱光受光部、前記白血球測定試料から生じる蛍光を受光し受光強度に応じた蛍光信号を出力する蛍光受光部としてのフォトダイオード、及び前記フローセルと前記フォトダイオードとを結ぶ光路の途中に設けられ、前記白血球測定用試料から生じる蛍光を前記フォトダイオードに集光するレンズ、を有する白血球検出部と、
　前記チャンバを用いて調製された前記赤血球測定試料から、赤血球を計数する赤血球検出部と、
　検出された前記散乱光信号及び蛍光信号に基づいて、前記白血球測定試料に含まれる白血球を複数の種類に分類する分析部と、を備える、血液分析装置。」
の発明である点で一致し、次の各点で相違する。
　
（３）　相違点
ア　相違点１；
　白血球検出部の蛍光受光部としてのフォトダイオードが、本願発明においては「アバランシェフォトダイオード」であるのに対し、引用発明においては「フォトマル」である点。
　
イ　相違点２；
　白血球検出部のフローセルと蛍光受光部とを結ぶ光路の途中に設けられ蛍光を蛍光受光部に集光するレンズが、本願発明においては「非球面」レンズであるのに対し、引用発明においてはそのような特定がない点。
　
ウ　相違点３；
　赤血球を計数する赤血球検出部が、本願発明においては「電気信号を取得する電気抵抗式」の赤血球検出部であるのに対し、引用発明においてはフローサイトメータを用いるものである点。
　
エ　相違点４；
　本願発明は、「血液試料、希釈液、及び溶血剤を少なくとも含むヘモグロビン測定試料を調製する調製部」と「調製された前記ヘモグロビン測定試料を用いてヘモグロビン値を測定するためのヘモグロビン検出部」を備えヘモグロビン測定を行うものであり、そして、「ヘモグロビン測定試料を調製する」チャンバとして「赤血球測定試料を調製する」チャンバと同じものを用いるのに対して、引用発明においてはそのような特定がない点。
　
２　相違点についての見解
（１）上記各相違点について検討する。
ア　相違点１について
　フローサイトメータにおいて蛍光検出部をアバランシェフォトダイオードで構成することは、当審が通知した拒絶の理由に引用され、本願の優先日前に頒布された刊行物である特表平９−５０２７９４号公報（特に、第８ページ下から第１０行〜下から第２行の記載参照）にも記載されているように周知の技術である。引用発明においても、蛍光受光部の感度を高めるために、上記周知技術を適用し、蛍光検出部をアバランシェフォトダイオードで構成して、上記相違点１に係る本願発明の構成を得ることは当業者が容易に想到し得たことである。
　
イ　相違点２について
　フローサイトメータにおいてフローセルと蛍光受光部とを結ぶ光路の途中に設けられ蛍光を蛍光受光部に集光するレンズを「非球面」レンズとすることは、当審が通知した拒絶の理由に引用され、本願の優先日前に頒布された刊行物である特開平３−２３５０３７号公報（特に、第２ページ右下欄末行〜第３ページ左上欄第２行の記載参照）にも記載されているように周知の技術である。引用発明においても、レンズの集光特性を向上するために、上記周知技術を適用し、上記レンズを「非球面」レンズとして、上記相違点２に係る本願発明の構成を得ることは当業者が容易に想到し得たことである。
　
ウ　相違点３について
　赤血球を計数するための赤血球検出部として「電気信号を取得する電気抵抗式」のものを用いることは、当審が通知した拒絶の理由に引用され、本願の優先日前に頒布された刊行物である特開２００４−２５７９６７号公報（特に、【００２４】段落の記載参照）にも記載されているように周知の技術である。引用発明の赤血球検出部においても、必要に応じて上記周知技術を適用し、赤血球検出部を「赤血球を計数するための電気信号を取得する電気抵抗式」のものとして、上記相違点３に係る本願発明の構成を得ることは当業者が容易に想到し得たことである。
　
エ　相違点４について
　血液試料を溶血し希釈してヘモグロビン値の測定を行う血液分析装置は、当審が通知した拒絶の理由に引用され、本願の優先日前に頒布された刊行物である特開平１０−２４８８２８号公報（特に、【０００２】段落の記載参照）にも記載されているように周知の技術であり、そして、引用発明の血液分析装置においても、装置の汎用性を高めるために、上記周知技術を適用し、血液試料を溶血し希釈してヘモグロビン値の測定も行えるようにすることは当業者が容易に想到し得たことである。そして、そのために、「血液試料、希釈液、及び溶血剤を少なくとも含むヘモグロビン測定試料を調製する調製部」と「調製された前記ヘモグロビン測定試料を用いてヘモグロビン値を測定するためのヘモグロビン検出部」を備えることは当業者が適宜なし得たことにすぎない。
　そして、白血球測定及び赤血球測定などの複数の種類の血液を測定する血液分析装置において、白血球の測定のための試料供給部（チャンバ）と赤血球や血小板、ヘモグロビンなどの測定を行うための試料供給部（チャンバ）を分けることや、赤血球、血小板、ヘモグロビンのチャンバーを共通のものとすることは、例えば、特表２００３−５１０５５７号公報（【００２９】【００３４】）、特開平２−１７６５６２号公報（第３ページ左上欄第１５行〜右下欄第１３行）にも記載されているように周知の技術であるから、上記で、ヘモグロビン測定試料を調製する調製部を設けるに際して、ヘモグロビン測定試料供給用のチャンバを赤血球測定試料供給用のチャンバと同じチャンバとし、白血球測定試料供給用チャンバとは分けて、白血球測定試料供給用チャンバを第１チャンバとし、赤血球測定試料及びヘモグロビン測定試料供給用チャンバを第２チャンバとすることは当業者が容易に想到し得たことである。
　
（２）そして、本願発明によってもたらされる効果は、引用発明及び周知技術から当業者が予測し得る程度のものである。
　
（３）まとめ
　したがって、本願発明は、引用発明及び周知技術に基いて当業者が容易に発明することができたものである。
　
　
３　小活
　以上のとおり、本願発明は、引用発明及び周知技術に基いて当業者が容易に発明することができたものであるから、特許法第２９条第２項の規定により特許を受けることができない。
　
　
第５　むすび
　以上のとおりであり、本願発明は、特許法第２９条第２項の規定により特許を受けることができない。
　したがって、その余の請求項に係る発明について論及するまでもなく、本願は拒絶すべきものである。
　
　よって、結論のとおり審決する。